(57)【要約】【課題】  体表面にあるつぼに効率良く微弱電流を流す微弱電流施療具を提供すること。【解決手段】  適当な厚みで適当に撓んで弾性と導電性を持つ金属やプラスチックやゴムで基板を形成し、その基板上に圧電体を平板状に設け、その基板を粘着シートの面上やサポータに設けて、その粘着シートを体表面に貼って、又はサポータを体局部に装着して圧電体で起電する微弱電流を皮膚内に通電する構成。また粘着シートの面上やサポータに圧電体と導電部、又は異種の金属板を互いに離して設け、その粘着シートを体表面に貼って、又はサポータを体局部に装着して圧電体又は両金属板間で起電する微弱電流を皮膚内に通電する構成。【選択図】  図３
2006320704.tif 000002
【特許請求の範囲】
【請求項１】
粘着シート（２）の上面に粘着材（２ａ）又は導電性粘着材（２ｂ）を具備し、該粘着シート（２）に適当に撓んで導電性を有する基板（３）と、該基板（３）の上面に適当な大きさの圧電体（４）と、該圧電体（４）の上面に電極（５）を設け、粘着シート（２）を皮膚面に貼った状態で、圧電体（４）に加わる圧力や外力によってひずむ変位で起電する微弱電流を、電極（５）と基板（３）から、又は電極（５）と導電性粘着材（２ｂ）から、又は基板（３）と導電性粘着材（２ｂ）から接面する皮膚の組織内に通電するようにした微弱電流施療具。
【請求項２】
粘着シート（２）の上面に導電性粘着材（２ｂ）を具備し、該粘着シート（２）に適当に撓んで適当な大きさの圧電フィルム（４：４ｂ）と、該圧電フィルム（４：４ｂ）の上面に電極（５）を設け、粘着シート（２）を皮膚面に貼った状態で、圧電フィルム（４：４ｂ）に加わる圧力や外力によってひずむ変位で起電する微弱電流を、電極（５）と導電性粘着材（２ｂ）から接面する皮膚の組織内に通電するようにした微弱電流施療具。
【請求項３】
粘着シート（２）の上面に粘着材（２ａ）を具備し、該粘着シート（２）に適当に撓んで導電性を有する基板（３）と、該基板（３）の上面に適当な大きさの圧電体（４）と、該圧電体（４）の上面に電極（５）を設け、さらに該圧電体（４）で起電する電気を通電する適当長の導電部（６）を設け、粘着シート（２）を皮膚面に貼った状態で、圧電体（４）に加わる圧力や外力によってひずむ変位で起電する微弱電流を、電極（５）と導電部（６）から、又は基板（３）と導電部（６）から接面する皮膚の組織内に通電するようにした微弱電流施療具。
【請求項４】
粘着シート（２）の上面に粘着材（２ａ）を具備し、該粘着シート（２）の適当な少なくとも２ヶ所に、適当に撓んで導電性を有する基板（３）と、該基板（３）の上面に適当な大きさの圧電体（４）と、該圧電体（４）の上面に電極（５）を各設け、さらに各圧電体（４）で起電する電気を通電する適当長の導電部（６）を設け、粘着シート（２）を皮膚面に貼った状態で、各圧電体（４）に加わる圧力や外力によってひずむ変位で起電する微弱電流を、各圧電体（４）の上面に設けた電極（５）と導電部（６）から、又は各基板（３）と導電部（６）から、又は電極（５）又は基板（３）の各接面する皮膚の組織内に通電するようにした微弱電流施療具。
【請求項５】
粘着シート（２）の上面に粘着材（２ａ）を具備し、該粘着シート（２）に適当に撓んで導電性を有する基板（３）と、該基板（３）の上面に適当な大きさの圧電体（４）と、該圧電体（４）の上面に電極（５）を設け、さらに該圧電体（４）で起電する電気を通電する適当長の導電部（６：６Ａ）と導電部（６：６Ｂ）を設け、粘着シート（２）を皮膚面に貼った状態で、圧電体（４）に加わる圧力や外力によってひずむ変位で起電する微弱電流を、導電部（６：６Ａ）と導電部（６：６Ｂ）から接面する皮膚の組織内に通電するようにした微弱電流施療具。
【請求項６】
粘着シート（２）の上面に粘着材（２ａ）を具備し、該粘着シート（２）に適当に撓んで適当な大きさの圧電フィルム（４：４ｂ）と、該圧電フィルム（４：４ｂ）の上面に電極（５）を設け、さらに該圧電フィルム（４：４ｂ）で起電する電気を通電する適当長の導電部（６）を設け、粘着シート（２）を皮膚面に貼った状態で、圧電フィルム（４：４ｂ）に加わる圧力や外力によってひずむ変位で起電する微弱電流を、電極（５）と導電部（６）から接面する皮膚の組織内に通電するようにした微弱電流施療具。
【請求項７】
粘着シート（２）の上面に粘着材（２ａ）を具備し、該粘着シート（２）の適当な少なくとも２ヶ所に、適当に撓んで適当な大きさの圧電フィルム（４：４ｂ）と、該圧電フィルム（４：４ｂ）の上面に電極（５）を各設け、さらに該各圧電フィルム（４：４ｂ）で起電する電気を通電する適当長の導電部（６）を設け、粘着シート（２）を皮膚面に貼った状態で、各圧電フィルム（４：４ｂ）に加わる圧力や外力によってひずむ変位で起電する微弱電流を、各圧電フィルム（４：４ｂ）の上面に設けた電極（５）と導電部（６）から、又は各電極（５）から接面する皮膚の組織内に通電するようにした微弱電流施療具。
【請求項８】
粘着シート（２）の上面に粘着材（２ａ）を具備し、該粘着シート（２）に適当に撓んで適当な大きさの圧電フィルム（４：４ｂ）と、該圧電フィルム（４：４ｂ）で起電する電気を通電する適当長の導電部（６：６Ａ）と導電部（６：６Ｂ）を設け、粘着シート（２）を皮膚面に貼った状態で、該圧電フィルム（４：４ｂ）に加わる圧力や外力によってひずむ変位で起電する微弱電流を、導電部（６：６Ａ）と導電部（６：６Ｂ）から接面する皮膚の組織内に通電するようにした微弱電流施療具。
【請求項９】
体局部に装着するサポータにおいて、サポータに適当に撓んで導電性を有する基板（３）と、該基板（３）の上面に適当な大きさの圧電体（４）と、該圧電体（４）の上面に電極（５）を設け、サポータを体局部に装着した状態で、圧電体（４）に加わる圧力によってひずむ変位で起電する微弱電流を、電極（５）と基板（３）から接面する皮膚の組織内に通電するようにした微弱電流施療具。
【請求項１０】
体局部に装着するサポータにおいて、サポータに適当に撓んで導電性を有する基板（３）と、該基板（３）の上面に適当な大きさの圧電体（４）と、該圧電体（４）の上面に電極（５）を設け、さらに該圧電体（４）で起電する電気を通電する適当長の導電部（６）を設け、サポータを体局部に装着した状態で、圧電体（４）に加わる圧力によってひずむ変位で起電する微弱電流を、圧電体（４）の上面に設けた電極（５）と導電部（６）から、又は基板（３）と導電部（６）から接面する皮膚の組織内に通電するようにした微弱電流施療具。
【請求項１１】
体局部に装着するサポータにおいて、サポータの適当な少なくとも２ヶ所に、適当に撓んで導電性を有する基板（３）と、該基板（３）の上面に適当な大きさの圧電体（４）と、該圧電体（４）の上面に電極（５）を各設け、さらに各圧電体（４）で起電する電気を通電する適当長の導電部（６）を設け、サポータを体局部に装着した状態で、各圧電体（４）に加わる圧力によってひずむ変位で起電する微弱電流を、各圧電体（４）の上面に設けた電極（５）と導電部（６）から、又は各基板（３）と導電部（６）から、又は電極（５）又は基板（３）の各接面する皮膚の組織内に通電するようにした微弱電流施療具。
【請求項１２】
体局部に装着するサポータにおいて、サポータに適当に撓んで導電性を有する基板（３）と、該基板（３）の上面に適当な大きさの圧電体（４）と、該圧電体（４）の上面に電極（５）を設け、さらに該圧電体（４）で起電する電気を通電する適当長の導電部（６：６Ａ）と導電部（６：６Ｂ）を設け、サポータを体局部に装着した状態で、圧電体（４）に加わる圧力によってひずむ変位で起電する微弱電流を、導電部（６：６Ａ）と導電部（６：６Ｂ）から接面する皮膚の組織内に通電するようにした微弱電流施療具。
【請求項１３】
体局部に装着するサポータにおいて、サポータに適当に撓んで適当な大きさの圧電フィルム（４：４ｂ）と、該圧電フィルム（４：４ｂ）の上面に電極（５）を設け、さらに該圧電フィルム（４：４ｂ）で起電する電気を通電する適当長の導電部（６）を設け、サポータを体局部に装着した状態で、圧電フィルム（４：４ｂ）に加わる圧力によってひずむ変位で起電する微弱電流を、電極（５）と導電部（６）から接面する皮膚の組織内に通電するようにした微弱電流施療具。
【請求項１４】
体局部に装着するサポータにおいて、サポータの適当な少なくとも２ヶ所に、適当に撓んで適当な大きさの圧電フィルム（４：４ｂ）と、該圧電フィルム（４：４ｂ）の上面に電極（５）を各設け、さらに該各圧電フィルム（４：４ｂ）で起電する電気を通電する適当長の導電部（６）を設け、サポータを体局部に装着した状態で、各圧電フィルム（４：４ｂ）に加わる圧力によってひずむ変位で起電する微弱電流を、各圧電フィルム（４：４ｂ）の上面に設けた電極（５）と導電部（６）から、又は各電極（５）から接面する皮膚の組織内に通電するようにした微弱電流施療具。
【請求項１５】
体局部に装着するサポータにおいて、サポータに適当に撓んで適当な大きさの圧電フィルム（４：４ｂ）と、該圧電フィルム（４：４ｂ）で起電する電気を通電する導電部（６：６Ａ）と導電部（６：６Ｂ）を設け、サポータを体局部に装着した状態で、圧電フィルム（４：４ｂ）に加わる圧力によってひずむ変位で起電する微弱電流を、導電部（６：６Ａ）と導電部（６：６Ｂ）から接面する皮膚の組織内に通電するようにした微弱電流施療具。
【請求項１６】
前記圧電体（４）が圧電フィルム（４：４ｂ）でなる構成において、該圧電フィルム（４：４ｂ）の上面と下面に電極（５）を設けてなる請求項１〜１５のいずれか１項記載の微弱電流施療具。
【請求項１７】
前記サポータに弾性部（１ｅ）を設け、該弾性部（１ｅ）を介在して圧電体（４）を設けてなる請求項９〜１５のいずれか１項記載の微弱電流施療具。
【請求項１８】
前記導電部（６：６Ａ）に複数の凸部（６ｃ）と導電部（６：６Ｂ）に複数の凸部（６ｄ）を設けてなる請求項５，８，１２，１５のいずれか１項記載の微弱電流施療具。
【請求項１９】
指に嵌める指サックにおいて、指サックの先端部に適当に撓んで導電性を有する基板（３）と、該基板（３）の上面に適当な大きさの圧電体（４）と、該圧電体（４）の上面に電極（５）を設け、指サックを指に嵌めて指圧することで、前記基板（３）に設けた圧電体（４）に加わる圧力によってひずむ変位で起電する微弱電流を、電極（５）と基板（３）から接面する皮膚の組織内に通電するようにした微弱電流施療具。
【請求項２０】
前記電極（５）と導通する導電部（６ａ）と前記基板（３）と導通する導電部（６ｂ）を設け、導電部（６ａ）と導電部（６ｂ）から接面する皮膚の組織内に通電するようにした請求項１９記載の微弱電流施療具。
【請求項２１】
前記微弱電流施療具にＬＥＤ（９）を設け、圧電体（４）に加わる力によってひずむ変位で起電する微弱電流を、ＬＥＤ（９）の点灯で確認できるようにした請求項１〜１５，２０のいずれか１項に記載の微弱電流施療具。
【請求項２２】
粘着シート（２）の上面に粘着材（２ａ）を具備し、該粘着シート（２）に適当長に形成した導電部（６）を設け、該導電部（６）の一方に適当な大きさの金属板（７）を設け、該導電部（６）の金属板（７）から適当長離れた部位に適当な大きさで該金属板（７）とはイオン化傾向が異なる金属板（８）を設け、粘着シート（２）を皮膚面に貼った状態で、金属板（７）と金属板（８）との間で起電する微弱電流を両金属板から接面する皮膚の組織内に通電するようにした微弱電流施療具。
【請求項２３】
体局部に装着するサポータにおいて、サポータに適当長に形成した導電部（６）を設け、該導電部（６）の一方に適当な大きさの金属板（７）を設け、該導電部（６）の金属板（７）から適当長離れた部位に適当な大きさで該金属板（７）とはイオン化傾向が異なる金属板（８）を設け、サポータを体局部に装着した状態で、金属板（７）と金属板（８）との間で起電する微弱電流を両金属板から接面する皮膚の組織内に通電するようにした微弱電流施療具。
【請求項２４】
前記金属板（７）と導電部（６）を、又は前記金属板（８）と導電部（６）を同材質で形成してなる請求項２２，２３記載の微弱電流施療具。
【請求項２５】
前記金属板（７）に複数の凸部（７ａ）と金属板（８）に複数の凸部（８ａ）を設けてなる請求項２２，２３，２４記載の微弱電流施療具。
【発明の詳細な説明】
【技術分野】
【０００１】
本発明は、物性が持つ起電作用を利用し、その起電する微弱電流でつぼを刺激する微弱電流施療具に関する。
【背景技術】
【０００２】
人間の体は細胞でできており、頭を使ったり運動したりすると、その使われる細胞は使えば使うほど刺激を受けて活性化することが解かっている。そして健康を促進する療法につぼを刺激するつぼ療法があり、体表面にあるつぼを刺激すると、そのつぼに対応した体の各機能が活性化される。それでつぼを刺激する方法には、押圧の刺激を与える方法（指圧等）、熱の刺激を与える方法（温灸等）、電気的刺激を与える方法（磁気、低周波電流、微弱電流）の３通りがあり、パルス状の微弱電流を細胞組織内に流すのが最も効果的である。（磁気は磁界の中で発生する微小な起電流を利用するものである。また低周波治療のミリアンペアの電流は皮下しかほとんど流れない。）
体内には１００〜２００μＡの生体電流が流れており、神経繊維や筋繊維では微弱な電流刺激によって、その細胞膜に一連の電気的変化が生じ、１ヵ所に生じた電気的変化により隣接部が刺激されて次々と興奮を起こし、その興奮が繊維を伝わっていく性質がある。そしてその生体電流が細胞組織の乱れで、細胞組織のイオン配列の障害となってスムーズに流れなくなると、人間が本来持っている自然治癒力が低下し、疾患の原因にもなっていた。そこで生体電流に近い微弱電流を体外から流してやることで、自然治癒力が高まることがピッツバーグ大学の研究結果でも報告されており、その治療法として微弱電流療法（マイクロカレントセラピー）が注目されている。その微弱電流療法によって、個々の細胞や組織が傷ついた場合、体外から微弱（＝損傷）電流を人工的に流してやることで、その修復に必要なエネルギーを供給するＡＴＰ（アデノシン三燐酸）酵素の生成や、たんぱく質の合成等が促進されて自然治癒力が高まり、治癒（回復）が速まることが証明されている。前記のピッツバーグ大学の研究結果では、細胞内のＡＴＰ合成が５０％アップし、たんぱく質の合成が７０％アップし、細胞間輸送が４０％アップしたという報告がある。それで微弱電流治療器として微弱電流発生装置が開発され製品化されている。
【０００３】
そこで本発明者は、物性が持つ起電作用に着目し本発明に至ったもので、結晶体や磁器材料でなる圧電体に圧力を加えると起電するピエゾ効果や、異種金属間に起きるイオン化作用の働きで起電するイオン化傾向の性質があり、そのピエゾ効果やイオン化傾向の作用を利用して起電する微弱電流を体内に流せば、前記した微弱電流による施療効果が得られる。
ピエゾ効果を利用して圧電体に加える圧力で起電させる方法を、図１７に基づいて説明すると、図１７（ａ）において、圧電体の表面に矢印（↓）の圧電体を圧縮する力（圧縮応力）が加わると、図のように圧電体が縮む方向にひずみ、その際に起電流ｉを起電する。次に圧縮する力を取り去ると圧電体は元の形状に戻り、その際に逆向きの起電流ｉを起電する。また図１７（ｂ）において、圧電体の表面に矢印（↓＆↑）の圧電体を曲げる力（せん断応力）が加わると、図のように圧電体が曲がる方向にひずみ、その際に起電流ｉを起電する。次に曲げる力を取り去ると圧電体は元の形状に戻り、その際に逆向きの起電流ｉを起電する。この場合前記の圧縮する力でひずむ変位量に比べて、曲げる力でひずむ変位量の方がはるかに大きいため、曲げによる力で起電する起電流の方がはるかに大きくなる。
【０００４】
ここで公知公報で圧電体に外力を加えて経穴を刺激する器具として、特開２０００−５２７０号公報が提案されている。然しながらその提案の図１８に示す構成では、基板の厚みが１〜３ｍｍ（１円玉の厚みが約１ｍｍ）あり、図１８（ｂ）（ｃ）（ｄ）に示すように、外力がその器具全体又は一部に加わっても基板は撓まず屈曲しないため、図１７（ａ）で示した圧縮によるひずみの変位しか起きない。そのためその起電される起電流は非常に僅かであり、抵抗値が大きい皮膚面の２点間にその起電流を加えても効果的な施療は得られにくい。また提案の構成では、皮膚面との間に閉回路ができないため、起電した起電流は皮膚内に流れることはなく、起電した起電流による施療効果は得られない。また同様に実用新案６０−８３６４３号公報が提案されており、その構成は圧電体に圧力を加えることにより発生する電荷を人体に放出する構成であって、体内に起電する微弱電流を流す構成ではない。従ってその提案の構成では、起電した微弱電流による施療効果を同様に全く得ることはできない。
【０００５】
【特許文献１】特開２０００−５２７０号公報  実用新案６０−８３６４３号公報
【発明の開示】
【発明が解決しようとする課題】
【０００６】
本発明は、前述の問題に鑑みてなされたもので、体表面にあるつぼに効率良く起電した微弱電流を流す微弱電流施療具を提供することである。
【課題を解決するための手段】
【０００７】
本発明は、金属やプラスチックやゴムが持っている弾性と可撓性の性質を利用するもので、適当な厚みで適当に撓んで弾性を持つ金属やプラスチックやゴムで基板を形成し、その基板上に圧電体を平薄状に設けることで、基板にいかなる方向からの圧力や外力が加わっても、その方向に基板と一体になって圧電体が撓んで変形し、さらにその基板が持つ弾性によって元の形に戻るため、基板に加わる圧縮や曲げ（せん断）の外力や圧力に対して、継続して起電できるため、その基板を粘着シートの面上やサポータの内側に設け、その粘着シートを体表面のつぼに貼って、又はサポータを体局部に装着して、圧電体で起電する微弱電流を皮膚内に通電する構成である。
【０００８】
また圧電体自体を適当に撓む圧電フィルム体で形成することで、別体に前記の基板を設けることなく、圧電フィルム自体にいかなる方向からの圧力や外力を加えても、その方向に圧電フィルム自体が自由に変形し、そしてその圧電フィルム体が持つ弾性で元の形に戻ろうとするため、同様に継続して起電できるため、その圧電フィルム体を粘着シートの面上やサポータの内側に設けることで、その粘着シートを体表面のつぼに貼って、又はサポータを体局部に装着すれば、圧電フィルム体の表面が常に体表面と密着し、その動きに追従して変形できるため、その圧電フィルム体で起電する微弱電流を皮膚内に通電する構成である。
また粘着シートの面上やサポータの内側に圧電体と導電部、又は異種の金属板を互いに離して設け、その粘着シートを体表面のつぼに貼って、又はサポータを体局部に装着して、圧電体又は両金属板間で起電する微弱電流を離れた皮膚面の皮膚内に通電する構成である。
【発明の効果】
【０００９】
本発明を圧電体で構成する微弱電流施療具は、適当に撓んで弾性のある基板上に圧電体を平板状に設けるため、あらゆる方向から加わる圧縮や曲げ（せん断）の圧力や外力によっても、圧電体がその基板の変形に追従してその方向にひずんで変形するため起電でき、そしてその変形の中で曲げの変形による変位量を大きくとれるため、起電する起電流をとても大きくとれ、効率良く起電する起電流で施療することができる。
【００１０】
また圧電体自体を適当に撓んで弾性を持つ圧電フィルム体で形成することで、その圧電フィルム自体にあらゆる方向から加わる圧縮や曲げ（せん断）や引張りの圧力や外力でも、圧電フィルム自体がその方向にひずんで変形し起電できるため、その構成で部品点数を少なくでき、そして圧電フィルム体が体表面の形状によくフィットして変形するためかさばらず、いかなる皮膚表面でも施療が可能である。
また本発明を異種の金属板で構成する微弱電流施療具は、異種の金属板間を平薄状の導電部材で接続するため、その導電部が自由な形に屈曲し、皮膚の表面に貼った状態でその皮膚面がどんな形状に変化しても、しっかりと皮膚面に貼り付けた状態を維持して固定できる。そして導電部がかさばらず露出しないため邪魔にならず、粘着シートがその影響で剥がれることもないし、そのサポータを装着しても違和感がない。また金属板と導電部を互いに面と面で接面して接続できるため、異種の金属間でのイオン化作用で移動する電子の導通面積を広くとれ、そのイオン化作用の反応を効率良く作用させて、起電する起電流で効率的に施療することができる。さらに導電部の面上に基板や金属板を設けてそのまま導通状態にできるため、電気的接続がとても容易で製作も非常に簡単にできる。
【実施例】
【００１１】
本発明の実施例の構成を図面を基に説明する。
【００１２】
図１は、本発明の圧電体で構成する微弱電流施療具１の第１実施例を示す。図１（ａ）（ｂ）（ｃ）において、平板状で直径約３０ｍｍの円形に粘着シート２を形成し、その上面に粘着材２ａを全域に具備する。その粘着シート２の上面中央に厚さ約０.０７ｍｍ、直径１２ｍｍの黄銅でなる基板３を貼設し、その基板３の上面中央に約０.０６ｍｍ厚で直径９ｍｍの圧電体４を設け、その圧電体４の上面全域を銀でなる電極５を厚膜印刷（シルクスクリーン印刷）によって、数１０ミクロンの厚みに設けて構成したものである。
【００１３】
図３で本実施例の構成の微弱電流施療具１の起電原理を説明すると、微弱電流施療具１を体の皮膚面に貼ることによって、その体の皮膚面の動きに追従して弾性のある基板３が撓み、その基板３の撓みに連動して圧電体４がひずむことで起電して起電流ｉを発生する。またその部位へ外力を加わえると、同様に基板３が撓み、圧電体４が基板３に連動してひずむことで起電して起電流ｉを発生する。本発明の具体的な使用例として、微弱電流施療具１を足の裏（特にかかと）に貼ると、歩いて足を下ろす毎に、図３（ａ）に示すように、微弱電流施療具１全体に垂直方向の外力が加わり、図１７（ａ）で示す圧電体４が垂直にひずむ変位によって、微弱電流ｉが起電される。そして足を上げてその外力を取り去ると、圧電体４は元の形状に戻り、逆向きの微弱電流ｉが起電される。起電した微弱電流ｉは基板３と電極５が皮膚１１に接面しており、その接面する両部位から皮膚１１の組織内へと通電される。次に図４（ａ）に示すように、微弱電流施療具１を腕や体表面に貼ると、体表面は全く平らではなく、その表面はいくらか湾曲してるため、平板の基板３上に設けた圧電体４には、常にその圧力が加わる状態になり、図３（ｂ）に示すように、力を入れた時の筋肉の盛り上がりや、腕を動かした時の皮膚面の起伏や振動、血液が流れる際の微小な起伏や振動で、基板３を変位（変形）させる圧力が加わり、図１７（ｂ）に示すように、圧電体４が撓む方向にひずむ変位が起こり、そのたびに微弱電流ｉが起電され、前記と同様にその起電した微弱電流ｉは、基板３と電極５が皮膚１１と接面してる両部位から皮膚１１の組織内へと通電される。次に図３（ｃ）に示すように、微弱電流施療具１をつぼに貼った状態で、その面上の皮膚面を指で押圧（指圧）すると、微弱電流施療具１全体が図のように内側に撓み、図３（ｂ）と同様に微弱電流ｉが起電して皮膚１１の組織内へと通電される。ここで図３（ａ）（ｂ）の使用例では、体の動きに追従しながら起電して微弱電流ｉを発生するため、体内に流れる生体電流に連動し、その皮膚組織への刺激効果は増幅されて促進されることになる。（既存の微弱電流発生装置は、体の動きに連動して微弱電流を発生するものではない）また図３（ｃ）の使用例では、指圧によるつぼへの刺激と、同時に発生する電気的刺激の両方をつぼに加えられるため、同様に刺激効果が増幅されて促進されることになる。図１（ｄ）は、他の実施例の構成を示したもので、前実施例の構成では圧電体４の上面のみ電極５を設けているが、圧電体４の上面と下面の両面に電極５を設けてもよく、その構成により基板３との導電性がさらに良くなる。本実施例の構成で、粘着材２ａの替わりに導電性粘着材２ｂを設けて構成し実施してもよい。その構成では微弱電流が流れる範囲がより広くなる。
【００１４】
図１（ｅ）（ｆ）は、本発明を圧電体で構成する微弱電流施療具１の第２実施例を示す。基板３の上面中央に２枚の圧電体４，４を介在基板３ａを介在して、サンドイッチ状態に挟んで設けた構成（バイモルフ型）で実施するもので、この構成であれば約２倍の起電力（起電流）が得られる。
【００１５】
尚、前記の図１の実施例の構成で、適当に撓んで導電性の基板３上にほぼ同じ大きさの圧電体４に電極５を設けて一体に形成し、その基板３を皮膚面側に向けて導電性粘着材２ｂ上に設けて構成し実施してもよく、その構成では基板３と導電性粘着材２ｂから接面する皮膚の組織内へと通電される。
【００１６】
図４（ｂ）は、本実施例の構成を商品化して販売する形態を示したもので、図１及び図２に示す微弱電流施療具１を剥離紙１０の上に６枚並べて貼り付け、その剥離紙１０から微弱電流施療具１を剥がして体の各部に貼ることができる。剥離紙１０は貼り付けてる間、粘着材２ａ及び導電性粘着材２ｂの粘着力が落ちることはない。
【００１７】
本発明の構成において、基板３を金属で形成した場合は、適当な厚みと弾性のある黄銅、アルミ、銅、合金でなる４２ALLOY等で実施でき、また基板３を薄いプラスチック材でその面上にアルミ蒸着して形成したり、導電性のカーボン等を成膜して構成してもよい。また基板３全体を導電ゴムや導電性プラスチック材で形成して構成してもよい。基板３の厚みとしては、適当に撓んで弾性を持つ厚みであればよく、金属板で形成した場合は実施例として、０.５〜０.３ｍｍ以下で０.１ｍｍ以下であればさらによく、また粘着シート２の形状も円形状の他に、三角や四角や多角形状で形成してよい。また皮膚面と接面する基板３と電極５との間を若干隔てるため、圧電体４の上面に設ける電極５の面積をいくらか小さくして設け構成してもよい。粘着シート２の材質としては、PVC（ポリ塩化ビニル樹脂）、シリコンゴム、綿布や不織布などの布材等で形成して実施できる。また粘着材２ａはアクリル系粘着剤等で実施できる。圧電体４は、圧電（ピエゾ）セラミック４ａとしては、チタン酸ジルコン酸鉛（PZT）の他に、チタン酸バリウム（BaTiO3）、チタン酸鉛、ニオブ酸鉛、ニオブ酸リチウム等を焼結して分極処理したもので構成でき、また圧電（ピエゾ）フィルム４ｂとしては、フィルム状のポリフッ化ビニリデン（PVDF）等で構成して実施できる。いずれの物質も圧力を加えることで、物質内に電気分極が生じて起電流を発生する。
【００１８】
図２は、前実施例で構成した基板３は設けず、圧電体４として圧電（ピエゾ）フィルム４ｂのみで構成して実施するものである。例えば米国ＭＳＩ（Measurement Specialties. Inc）社が製品化しているポリフッ化ビニリデン（PVDF）でなる圧電（ピエゾ）フィルム４ｂは、その圧電フィルム自体が適当に撓んで弾性を持つため、前実施例のように基板３を設けなくても、その圧電（ピエゾ）フィルム４ｂが外力や圧力によって撓んで変形し起電流を発生する。そしてその外力や圧力を取り去ると、その弾性で元の形状に戻り逆向きの起電流を発生する。圧電（ピエゾ）フィルム４ｂは引張りの力によっても起電流を発生し、前記の圧電（ピエゾ）セラミック４ａと比べて、１０倍以上の起電圧を発生させることができる。そのため微弱電流施療具１を圧電（ピエゾ）フィルム４ｂで構成すれば、少ない面積分で済み、その厚みも２８μｍ、５２μｍ、１１０μｍと非常に薄くてかさばらず、体表面にフィットして実施できる。
【００１９】
図２は、その圧電（ピエゾ）フィルム４ｂのみを設けた微弱電流施療具１の第３実施例の構成を示すもので、粘着シート２の上面に導電性の導電性粘着材２ｂを具備し、その中央部に圧電（ピエゾ）フィルム４ｂを貼設し、その圧電（ピエゾ）フィルム４ｂの上面に電極５を設けて構成したものである。この構成により、図４（ａ）に示すように微弱電流施療具１を体表面に貼ると、導電性粘着材２ｂと電極５は皮膚面に接面し、前実施例と同様に体表面の起伏や振動で圧電（ピエゾ）フィルム４ｂに圧力が加わり、その変形するひずみで起電流を発生する。そして接面する導電性粘着材２ｂと電極５から皮膚組織内へと起電流が通電される。
【００２０】
ここで圧電（ピエゾ）フィルム４ｂに設ける電極５は、図２（ｃ）に示すように、圧電（ピエゾ）フィルム４ｂの上面のみでもよいが、図２（ｄ）に示すように、その上面と下面の両面に設けて構成してもよい。電極５を両面に設けることで、導電性粘着材２ｂとの導通状態はさらに良くなる。また皮膚面と接面する導電性粘着材２ｂと電極５との間を若干隔てるため、圧電（ピエゾ）フィルム４ｂの上面に設ける電極５の面積をいくらか小さくして設け構成してもよい。また圧電（ピエゾ）フィルム４ｂの周りに環状の絶縁膜を貼り、その部分が皮膚面と絶縁するように構成してもよい。ここで電極５は金属材を被膜することで構成でき、その被膜方法にはニッケル銅合金によるスパッタ方法や銀のシルクスクリーン印刷方法やアルミ蒸着方法等があり、また導電性粘着材２ｂもアクリル系感圧型導電性粘着材やゲル状の導電性粘着材等で実施できる。
【００２１】
図５は、本発明を圧電体で構成する微弱電流施療具１の第４実施例を示す。図５（ａ）（ｂ）に示すように、粘着シート２を横長の瓢箪形状に形成し、その上面に粘着材２ａを具備し、その横中央に平薄状の導電材でなる横長の導電部６を設ける。そしてその導電部６の一方の部位に、適当に撓んで導電性の基板３上に同じ大きさの圧電体４と電極５を一体に形成したものを載設し、導電部６のもう一方の部位を円形状に広げて構成したものである。この構成を図１５（ａ）に示すように、体の皮膚面に貼って基板３上の圧電体４に圧力や振動が加わると、また指でその部位を指圧すると、圧電体４はひずんで起電流を発生し、電極５と導電部６の接面する皮膚組織内に微弱電流を通電することができる。本発明の構成において、導電部６は箔状の銅箔部材やアルミ箔部材で形成して実施したり、導電部６を導電ゴムやカーボン等の導電材や導電性粘着材で、粘着シート２に横長に設けて構成して実施してよい。また粘着シート２を伸縮する不織布等で形成でき、同様に伸縮する導電部６として、伸縮する導電ゴム材を不織布に形成したり、伸縮する不織布に導電性のカーボン材を含浸させて導電するように形成してもよい。また電極５と円形状の導電部６との間の導電部６の露出する部分を絶縁材で覆って、皮膚面と絶縁するように構成してもよい。
【００２２】
図５（ｃ）（ｄ）は、前記の円形状の導電部６の上に、若干厚みのある平板状の導電部６を形成して構成したものである。この平板状の導電部６を形成することで、その部位で導電部６が皮膚面と接面し易くなり、導電性が良くなる。
【００２３】
図５（ｅ）（ｆ）は、横長の導電部６の両端部に適当に撓んで導電性の基板３上に同じ大きさの圧電体４と電極５を一体に形成したものをそれぞれ載設し構成したものである。この構成により、どちらか又は両方の圧電体４にひずむ変位が起こることで、各電極５と導電部６の接面する皮膚の間、又は電極５と電極５の接面する皮膚の間に微弱電流が通電される。
【００２４】
図６（ａ）（ｂ）は、粘着シート２を略３角形に形成し、各角部位に適当に撓んで導電性の基板３上に同じ大きさの圧電体４と電極５を一体に形成したものをそれぞれ載設し、各基板３と導通する導電部６を中央部に図の様に設けて構成したものである。この構成であれば、３ヶ所に設けた圧電体４のうちいずれかがひずむ変位で起電することで、微弱電流を各電極５と導電部６の接面する皮膚の間、又は各電極５の接面する皮膚の間に微弱電流を流すことができる。導電部６は導電性粘着材で形成して構成してもよい。
【００２５】
図６（ｃ）（ｄ）は、横長の粘着シート２の中央部に適当に撓んで導電性の基板３上に同じ大きさの圧電体４と電極５を一体に形成したものを載設し、その基板３と電極５に導通する導電部６Ａと導電部６Ｂをそれぞれ横に延ばして設けて構成したものである。この構成であれば、導電部６Ａや導電部６Ｂの形状を所望の形状に形成して実施できる。また導電部６Ａと導電部６Ｂにそれぞれ凸部６ｃと凸部６ｄを形成して構成してもよく、各凸部６ｃ、６ｄと接面する皮膚面への良導性が良くなり、且つ押圧の刺激も加えられる。
【００２６】
尚、前記の図５と図６の実施例の構成で、適当に撓んで導電性の基板３上にほぼ同じ大きさの圧電体４に電極５を設けて一体に形成し、その基板３を皮膚面側に向けて粘着シート２上に設けて構成し実施してもよく、その構成では基板３と導電部６から、又は基板３の各接面する皮膚の組織内へと通電される。
【００２７】
図７と図８は、図５と図６で示した各実施例の構成で、適当に撓んで導電性の基板３上に同じ大きさの圧電体４と電極５を一体に形成した構成の替わりに、圧電（ピエゾ）フィルム４ｂと電極５を一体にした構成を載設して各構成したものである。この構成では圧電（ピエゾ）フィルム４ｂは薄くかさばらないため、体表面にフィットして実施でき、同様に皮膚面の動きに追従して起電できて、発生する起電流も前実施例と比べて大きくとれて実施できる。
【００２８】
図９（ａ）（ｂ）は、略３角形に形成した粘着シート２の上面中央に、同様に３角形の圧電（ピエゾ）フィルム４ｂを設け、その圧電（ピエゾ）フィルム４ｂの各端部に導電部６を図の様に形成して構成したものである。この構成であれば、粘着シート２全体がとても薄く形成でき、かさばらずに粘着シート２全体を体表面にフィットして貼ることができ、また圧電（ピエゾ）フィルム４ｂは横方向への引張りのひずみによっても起電するため、この圧電（ピエゾ）フィルム４ｂへの圧縮、曲げ（せん断）、引張りの３つの圧力でもって起電でき、非常に効果的である。
図１６（ａ）は、本実施例の構成を背中に貼った状態を示したもので、この構成で広範囲に微弱電流を流すことができる。尚、前実施例で示した圧電（ピエゾ）フィルム４ｂの各構成で、その圧電（ピエゾ）フィルム４ｂの上面と下面の両面に電極５を設けて構成し実施してもよい。
【００２９】
図１５（ｂ）は、前実施例の構成を商品化して販売する形態を示したもので、図５及び図７で示した微弱電流施療具１を剥離紙１０の上に２枚並べて貼り付け、その剥離紙１０から微弱電流施療具１を剥がして、体の各部に貼って使用することができる。
【００３０】
図１０〜図１２に示した構成は、圧電体４を体局部に装着するサポータの内側に設けて実施する実施例の構成をそれぞれ示したものである。図１０（ａ）（ｂ）において、図１で示した基板３と圧電体４と電極５の構成をサポータ１Ｂの内側に設け、そしてサポータ１Ｂの両端部に互いに係止する係止部１ｆを設けて構成したものである。この構成において、圧電体４を設けた面を内側にして、サポータ１Ｂを手首にしっかり巻いて、面ファスナー（登録商標：マジックテープ）でなる係止部１ｆ、１ｆを互いに係止させて固定すると、手首を曲げるごとにその皮膚面の変形による圧電体４にひずみが起こる圧力が加わり、手首の皮膚面と接面する基板３と電極５から起電する微弱電流を手首を曲げるごとに通電でき。特に手首で腱鞘炎になった場合、その疾患のある部位に刺激を与えられにくくなかなか治り難いが、本発明の構成により、手首の深部へ微弱電流の刺激を加えることができ、前述の微弱電流による自然治癒力が高められ、その部位での痛みの緩和や治りを早くすることが可能である。元々微弱電流施療はアスリートやプロスポーツ選手が打撲やじん帯損傷などの治療に使われてるもので、ワールドカップイングランド代表のベッカム選手が骨折治療に取り入れ短期間で治療したことが知られている。また微弱電流施療で美白効果もあることが知られている。本発明のサポータ１Ｂの構成は、手首の他に足首や太ももやふくらはぎや膝や肘等にも装着して実施しできる。図１６（ｂ）に示したのは、伸縮する円筒状のサポータ１Ｂで実施する状態を示したものである。伸縮するサポータ１Ｂの構成で、内側に設けた圧電体４には常に皮膚面の動きに追従する圧力が加えられ、その圧力によるひずみで起電する起電流が通電できる。各実施例のサポータ１Ｂは、パイル地で綿、アクリル、ナイロン、ポリエステル等で形成して実施できる。
【００３１】
図１０（ｃ）（ｄ）は、サポータ１Ｂに弾性部１ｅを形成し、その弾性部１ｅを介在して基板３と圧電体４と電極５を設けた構成である。この構成によって、接面する皮膚面に弾性部１ｅの弾性力による圧力がさらに加わり、より効果的に起電させることができる。弾性部１ｅとしては、例えばウレタンフォーム材で形成して実施でき、後述するサポータ１Ｂの各実施例の構成にも弾性部１ｅを設けて実施してもよい。また係止部１ｆの一方を適当に横長に形成して、係止位置を可変して装着できるように構成してもよい。
【００３２】
図１１に示した構成は、図５及び図６（ｃ）（ｄ）で示した粘着シート２の上に設けた各構成をサポータ１Ｂの内側に設けて各構成したものである。このサポータ１Ｂによる各実施例の構成であれば、粘着シート２で構成した実施例のように皮膚面に貼らなくても、手首や足首にサポータ１Ｂを装着して固定することができ、必要に応じて装着して患部を変えたりでき、しかも半永久的に使用が可能である。
【００３３】
尚、前記の図１１の実施例の構成で、適当に撓んで導電性の基板３上にほぼ同じ大きさの圧電体４に電極５を設けて一体に形成し、その基板３を皮膚面側に向けてサポータ１Ｂ上に設けて構成し実施してもよく、その構成では基板３と導電部６から、又は基板３の各接面する皮膚の組織内へと通電される。
【００３４】
図１２に示した構成は、図７及び図８（ｃ）（ｄ）で示した粘着シート２の上に設けた各構成をサポータ１Ｂの内側に設けて各構成したものである。同様にこのサポータ１Ｂによる各実施例の構成であれば、粘着シート２で構成した実施例のように皮膚面に貼らなくても、手首や足首にサポータ１Ｂを固定することができ、必要に応じて装着して患部を変えたりでき、しかも半永久的に使用が可能である。尚、サポータ１Ｂの内側に３つ以上の圧電体４を設けて構成して実施してもよいし、また前記した各実施例の構成にＬＥＤを設けて構成し、圧電体４が起電する様子をＬＥＤの発光で確認できるように構成してもよい。
【００３５】
図１３は、本発明の微弱電流施療具１を指圧具１Ａに実施する構成を示したものである。図１３（ａ）において、指（特に親指）がすっぽり嵌る指サック部１ａを軟質の塩化ビニル材で中空にして、外側を若干すぼめて形成し、その指サック部１ａの先端部に、図１で示した電極５と圧電体４を設けた基板３がぴったり嵌合する嵌合部１ｃを形成して構成したものである。この構成で図１３（ｂ）に示すように、基板３を嵌合部１ｃに嵌合した状態で皮膚面に押し付けると、露呈する電極５と基板３の表面が皮膚面と接面し、同時に基板３が指の押す力によって外側に若干撓むため、その基板３上に設けた圧電体４も同様に撓んでひずみを起こし起電流を発生する。そして接面する皮膚組織内に微弱な起電流を通電できる。この構成により、指サック部１ａを指に嵌めて皮膚面に押し付け指圧するごとに、押圧の刺激と起電する電気的刺激を同時に皮膚組織内に加えて施療できる。
【００３６】
図１３（ｃ）（ｄ）（ｅ）は、指圧具１Ａの他の実施例の構成を示したものである。図１３（ｅ）に示すように、前実施例と同様指サック部１ａを形成し、その先端部に収容する空間とその周縁に螺刻部１ｄを形成し、適当な孔が開いた蓋体１ｂをその螺刻部１ｄに螺嵌する構成にしている。そして先端部の収容空間に電極５と圧電体４を設けた基板３を遊挿し、その基板３上に導電ゴム材でなる導電部６ａとドーナツ状の導電部６ｂを図のように形成し、導電部６ａを電極５上に、導電部６ｂを露呈する基板３上にそれぞれ載置し、その上に蓋体１ｂを螺嵌するように構成している。図１３（ｃ）は、図１３（ｅ）に示した状態から蓋体１ｂを指サック部１ａに螺嵌した状態を示したもので、図１３（ｄ）はその断面図を示す。本実施例の構成を前実施例と同様に、指サック部１ａを指に嵌めて所望の皮膚面に指圧具１Ａを押し付けると、半球状に形成した導電部６ａと導電部６ｂの先端部が皮膚面と接面し、同時に基板３が指の押す力によって外側に若干撓むため、その基板３上に設けた圧電体４も同様に撓んでひずみを生じ起電流を発生する。そして電極５と導通する導電部６ａと、基板３と導通する導電部６ｂとの間の接面する皮膚組織内に微弱な起電流を通電できる。本実施例では発光ダイオードのＬＥＤ９を設けており、起電流が発生してることをＬＥＤ９の点灯で確認できるようにしている。ＬＥＤ９は導電部６ａと導電部６ｂと各導通するように接続しており、指を指サック部１ａに嵌めて力を入れて指圧した時、中の基板３が撓み、次に力を抜き基板３が元の形状に戻る時に起電する起電流でＬＥＤ９が点灯するように構成している。この構成において、指に指サック部１ａを嵌めて力を入れる指圧時には、ＬＥＤ９は半導体であって電流を流さないためＬＥＤ９は点灯せず、その時起電した起電流は接面する皮膚組織内へと流れる。本実施例の構成によって、実際に起電流を発生させて施療してることが、ＬＥＤ９の点灯で確認することができる。尚、前記した各実施例の構成にもＬＥＤ９を設けて各実施してもよい。
【００３７】
尚、図１３に示した実施例の構成で、指サック部１ａの先端部分を若干斜めに向けて形成して構成してもよく、その構成では指の腹で基板３を押す力が入り、皮膚面のつぼに力を入れて指圧し易くなる。また導電部６ａと導電部６ｂも導電ゴム材以外に、アルミ材や銅材などの金属で形成して構成してもよい。また指サック部１ａの長さも第一関節までの長さから、指全体がすっぽり入る長さにして構成してもよいし、また他の指用でシールドの役目を果たす導電性の指サックを用意し、圧電体４で起電した起電流をその指サックを介して皮膚内に通電するように構成してもよい。
【００３８】
図１４（ａ）（ｂ）は、本発明を異種金属で構成する微弱電流施療具１の実施例を示したものである。前実施例と同様、横長の瓢箪形状に形成した粘着シート２の面上に、粘着材２ａを具備し、その中央に導電材でなる横長の導電部６を設け、その導電部６の一方の端部に金属板７を載設し、その導電部６のもう一方の端部に、前記金属板７とは異種でイオン化傾向が異なる金属板８を載設して構成したものである。この構成を図１５（ａ）に示すように体の皮膚面に貼ると、イオン化傾向が異なる金属板７と金属板８との間に起電流が発生し、金属板７と金属板８と接面する皮膚組織内に微弱電流を通電できる。
【００３９】
イオン化傾向としては、イオン化傾向の小さい金属から大きい金属に順に並べると、金→銀→銅→鉛→ニッケル→鉄→亜鉛→アルミニウム→チタン→マグネシウム→ナトリウムとなり、このうち汎用性があり導電性が良い銅とアルミニウム、銅とチタンの組合せで金属板７と金属板８を形成して実施することができる。
【００４０】
本発明の構成で、異種の金属の金属板７と金属板８とを導電部６で電気的に接続することで以下の効果がある。
１）導電部６が自由な形に屈曲し、皮膚の表面に貼った状態で、皮膚面がどんな形状に変化してもしっかりと皮膚面に貼り付けた状態を維持して固定できる。そしてかさばらず露出しないため邪魔にならないし、粘着シートがその影響で剥がれることもない
２）金属板と導電部６とを面と面で接面して接続でき、異種の金属間でのイオン化作用で移動する電子の導通面積を広くとれるため、そのイオン作用を効率良く作用させて起電し施療することができる。
３）導電部６の面上に直接金属板を貼って設けて導通状態にできるため、電気的接続がとても容易にでき、製作も非常に簡単にできる。
【００４１】
図１４（ｃ）（ｄ）は、金属板７の上面に凸部７ａを形成し、金属板８の上面に凸部８ａを形成して構成したものである。この構成であれば、皮膚面に貼り付けた状態で、皮膚面のつぼに押圧の刺激を与えられると共に、つぼへの電気的な良導性が鋭くなるため、微弱電流の導通性が良くなる。凸部７ａと凸部８ａは各複数設けて構成してもよい。図１４の実施例の構成で、前実施例と同様に、導電部６を箔状の銅箔部材やアルミ箔部材で形成して実施でき、また導電部６を導電ゴムやカーボン等の導電材や導電性粘着材で粘着シート２の面上に横長に設けて実施してもよい。また粘着シート２を伸縮する不織布等で形成し、その面上で同様に伸縮する導電部６として、伸縮する導電ゴム材を形成して設けたり、または伸縮する不織布に導電性のカーボン等を含浸させて導電させるように形成して構成してもよい。また金属板７と金属板８との間の導電部６の露出する部分を、絶縁材で覆って皮膚面と絶縁するように構成してもよい。また金属板７と導電部６、又は金属板８と導電部６とを同材質で形成して構成してもよい。図１４（ｅ）（ｆ）は、図１４（ａ）（ｂ）で示した粘着シート２上に設けた構成をサポータ１Ｂの内側に設けて構成したもので、体局部に装着することで同様に実施可能である。
【００４２】
図１５（ｃ）は、本実施例の構成を商品化して販売する形態を示したもので、前実施例と同様に、図１４で示した微弱電流施療具１を剥離紙１０の上に２枚並べて貼り付け、その剥離紙１０から微弱電流施療具１を剥がして、体の各部に貼って使用することができる。図１５に示す微弱電流施療具１の長さは、５ｃｍ、１０ｃｍ、１５ｃｍ・・・と適当な長さに形成して構成でき、体のいかなるつぼに貼って施療することができる。また微弱電流施療具１を伸縮する粘着シート２で形成することで、いかなる体の動きにもフィットしてしっかり固定することができる。尚、前記本発明の各実施例ではサポータ１Ｂの内側に基板３や圧電体４や金属板を設けて構成してるが、サポータ１Ｂ内や外側に基板３や圧電体４や金属板を設けて構成し実施してもよい。
【図面の簡単な説明】
【００４３】
【図１】（ａ）本発明の１実施例の側面図（ｂ）本発明の１実施例の平面図（ｃ）（ｄ）本発明の１実施例の一部拡大の側面図（ｅ）本発明の１実施例の側面図（ｆ）本発明の１実施例の一部拡大の側面図
【図２】（ａ）本発明の１実施例の側面図（ｂ）本発明の１実施例の平面図（ｃ）（ｄ）本発明の１実施例の一部拡大の側面図
【図３】（ａ）（ｂ）（ｃ）本発明の起電原理を示す縦断面図
【図４】（ａ）本発明の１実施例を実施した斜視図（ｂ）本発明の１実施例の平面図
【図５】（ａ）（ｃ）（ｅ）本発明の１実施例の側面図（ｂ）（ｄ）（ｆ）本発明の１実施例の平面図
【図６】（ａ）（ｃ）本発明の１実施例の側面図（ｂ）（ｄ）本発明の１実施例の平面図
【図７】（ａ）（ｃ）（ｅ）本発明の１実施例の側面図（ｂ）（ｄ）（ｆ）本発明の１実施例の平面図
【図８】（ａ）（ｃ）本発明の１実施例の側面図（ｂ）（ｄ）本発明の１実施例の平面図
【図９】（ａ）本発明の１実施例の側面図（ｂ）本発明の１実施例の平面図
【図１０】（ａ）（ｃ）本発明の１実施例の側面図（ｂ）（ｄ）本発明の１実施例の平面図
【図１１】（ａ）（ｃ）（ｅ）（ｇ）本発明の１実施例の側面図（ｂ）（ｄ）（ｆ）（ｈ）本発明の１実施例の平面図
【図１２】（ａ）（ｃ）（ｅ）（ｇ）本発明の１実施例の側面図（ｂ）（ｄ）（ｆ）（ｈ）本発明の１実施例の平面図
【図１３】（ａ）本発明の１実施例の斜視図（ｂ）本発明の１実施例の縦断面図（ｃ）本発明の１実施例の斜視図（ｄ）本発明の１実施例の縦断面図（ｅ）本発明の１実施例の構成部品に分解した斜視図
【図１４】（ａ）（ｃ）（ｅ）本発明の１実施例の側面図（ｂ）（ｄ）（ｆ）本発明の１実施例の平面図
【図１５】（ａ）本発明の１実施例を実施した斜視図（ｂ）（ｃ）本発明の１実施例の平面図
【図１６】（ａ）（ｂ）本発明の１実施例を実施した斜視図
【図１７】（ａ）（ｂ）圧電体の起電原理を示す側面図
【図１８】（ａ）（ｂ）（ｃ）（ｄ）公知技術の構成と起電原理を示す側面図
【符号の説明】
【００４４】
１  ：  微弱電流施療具
１Ａ  ：  （微弱電流施療具の）指圧具
１Ｂ  ：  （微弱電流施療具の）サポータ
１ａ  ：  指サック部
１ｂ  ：  蓋体
１ｃ  ：  嵌合部
１ｄ  ：  螺刻部
１ｅ  ：  弾性部
１ｆ  ：  係止部
２  ：  粘着シート
２ａ  ：  粘着材
２ｂ  ：  導電性粘着材
３  ：  基板
３ａ  ：  介在基板
４  ：  圧電体
４ａ  ：  圧電（ピエゾ）セラミック
４ｂ  ：  圧電（ピエゾ）フィルム
５  ：  電極
６  ：  導電部
６Ａ  ：  導電部
６Ｂ  ：  （導電部６Ａと異極の）導電部
６ａ  ：  （指圧具の）導電部
６ｂ  ：  （指圧具の６ａと異極の）導電部
６ｃ  ：  （導電部６Ａ上の）凸部
６ｄ  ：  （導電部６Ｂ上の）凸部
７  ：  金属板
７ａ  ：  凸部
８  ：  （７と異種の）金属板
８ａ  ：  凸部
９  ：  ＬＥＤ
１０  ：  剥離紙
１１  ：  皮膚
【図１】
2006320704.tif 000003
【図２】
2006320704.tif 000004
【図３】
2006320704.tif 000005
【図４】
2006320704.tif 000006
【図５】
2006320704.tif 000007
【図６】
2006320704.tif 000008
【図７】
2006320704.tif 000009
【図８】
2006320704.tif 000010
【図９】
2006320704.tif 000011
【図１０】
2006320704.tif 000012
【図１１】
2006320704.tif 000013
【図１２】
2006320704.tif 000014
【図１３】
2006320704.tif 000015
【図１４】
2006320704.tif 000016
【図１５】
2006320704.tif 000017
【図１６】
2006320704.tif 000018
【図１７】
2006320704.tif 000019
【図１８】
2006320704.tif 000020